【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
アクセス許可デバイスを動作させる方法であって、
エリアへのアクセスを制御するために使用されるアクセスデバイスを制御することを許可されたモバイルワイヤレス通信デバイスに対応する、複数の一意の識別子を記憶することと、
電力線ネットワークを介して発光デバイスに、前記アクセスデバイスに対応する識別情報を提供することと、
モバイルワイヤレス通信デバイスから第１のハッシュ値を受信することと、前記第１のハッシュ値は、前記アクセスデバイスに対応する前記識別情報と、前記アクセスデバイスのアンロックをすることをトリガすることを探している前記モバイルワイヤレス通信デバイスに対応する一意の識別子とから生成されている、
前記モバイルワイヤレス通信デバイスから、前記モバイルワイヤレス通信デバイスに対応する前記一意の識別子を受信することと、
前記アクセスデバイスに対応する前記識別情報とともに前記モバイルワイヤレス通信デバイスに対応する前記一意の識別子をハッシュすることによって、第２のハッシュ値を生成することと、
前記第２のハッシュ値が前記第１のハッシュ値にマッチするか否かを判断することに少なくとも部分的に基づいて、前記第１のハッシュ値が、前記アクセスデバイスを制御することを許可された前記モバイルワイヤレス通信デバイスのうちの１つから生成されたか否かを判断することと、
前記第１のハッシュ値が、前記アクセスデバイスを制御することを許可された前記モバイルワイヤレス通信デバイスのうちの１つから生成されたと判断した後、前記アクセスデバイスをアンロックするためにアクセスコマンドを送ることと
を備える方法。
【請求項２】
前記第１のハッシュ値が、前記アクセスデバイスに対応する前記識別情報および、前記アクセスデバイスを制御することを許可されたモバイルワイヤレス通信デバイスに対応する、前記複数の一意の識別子のうちの１つから生成されなかったと判断した後、前記エリアへのアクセスを拒否することをさらに備える、請求項１に記載の方法。
【請求項３】
前記第１のハッシュ値が、前記アクセスデバイスに対応する前記識別情報および、前記アクセスデバイスを制御することを許可されたモバイルワイヤレス通信デバイスに対応する、前記複数の一意の識別子のうちの１つから生成されなかったと判断した後、無許可のアクセス試行を示すアラートを生成することをさらに備える、請求項２に記載の方法。
【請求項４】
時間変動値を用いて前記アクセスデバイスに対応する識別子をハッシュすることによって、前記アクセスデバイスに対応する前記識別情報を生成することをさらに備える、請求項１に記載の方法。
【請求項５】
エリアへのアクセスを制御するために使用されるアクセスデバイスを制御することを許可されたモバイルワイヤレス通信デバイスに対応する、複数の一意の識別子を記憶するための手段と、
電力線ネットワークを介して発光デバイスに、前記アクセスデバイスに対応する識別情報を提供するための手段と、
モバイルワイヤレス通信デバイスから第１のハッシュ値を受信するための手段と、前記第１のハッシュ値は、前記アクセスデバイスに対応する前記識別情報と、前記アクセスデバイスのアンロックをすることをトリガすることを探している前記モバイルワイヤレス通信デバイスに対応する一意の識別子とから生成されている、
前記モバイルワイヤレス通信デバイスから、前記モバイルワイヤレス通信デバイスに対応する前記一意の識別子を受信するための手段と、
前記アクセスデバイスに対応する前記識別情報とともに前記モバイルワイヤレス通信デバイスに対応する前記一意の識別子をハッシュすることによって、第２のハッシュ値を生成するための手段と、
前記第２のハッシュ値が前記第１のハッシュ値にマッチすると判断することに少なくとも部分的に基づいて、前記第１のハッシュ値が、前記アクセスデバイスを制御することを許可された前記モバイルワイヤレス通信デバイスのうちの１つから生成されたか否かを判断するための手段と、
前記第１のハッシュ値が、前記アクセスデバイスを制御することを許可された前記モバイルワイヤレス通信デバイスのうちの１つから生成されたと判断した後、前記アクセスデバイスをアンロックするためにアクセスコマンドを送るための手段と
を備えるアクセス許可デバイス。
【請求項６】
前記第１のハッシュ値が、前記アクセスデバイスに対応する前記識別情報および、前記アクセスデバイスを制御することを許可されたモバイルワイヤレス通信デバイスに対応する、前記複数の一意の識別子のうちの１つから生成されなかったと、判断するための前記手段が判断した後、前記エリアへのアクセスを拒否するための手段をさらに備える、請求項５に記載のアクセス許可デバイス。
【請求項７】
前記第１のハッシュ値が、前記アクセスデバイスに対応する前記識別情報および、前記アクセスデバイスを制御することを許可されたモバイルワイヤレス通信デバイスに対応する、前記複数の一意の識別子のうちの１つから生成されなかったと、判断するための前記手段が判断した後、無許可のアクセス試行を示すアラートを生成するための手段をさらに備える、請求項６に記載のアクセス許可デバイス。
【請求項８】
時間変動値を用いて前記アクセスデバイスに対応する識別子をハッシュすることによって、前記アクセスデバイスに対応する前記識別情報を生成するための手段をさらに備える、請求項５に記載のアクセス許可デバイス。
【請求項９】
メモリと、
エリアへのアクセスを制御するために使用されるアクセスデバイスを制御することを許可されたモバイルワイヤレス通信デバイスに対応する、複数の一意の識別子を、前記メモリに記憶することと、
電力線ネットワークを介して発光デバイスに、前記アクセスデバイスに対応する識別情報を提供することと、
モバイルワイヤレス通信デバイスから第１のハッシュ値を受信することと、前記第１のハッシュ値は、前記アクセスデバイスに対応する前記識別情報と、前記アクセスデバイスのアンロックをすることをトリガすることを探している前記モバイルワイヤレス通信デバイスに対応する一意の識別子とから生成されている、
前記モバイルワイヤレス通信デバイスから、前記モバイルワイヤレス通信デバイスに対応する前記一意の識別子を受信することと、
前記アクセスデバイスに対応する前記識別情報とともに前記モバイルワイヤレス通信デバイスに対応する前記一意の識別子をハッシュすることによって、第２のハッシュ値を生成することと、
前記第２のハッシュ値が前記第１のハッシュ値にマッチすると判断することに少なくとも部分的に基づいて、前記第１のハッシュ値が、前記アクセスデバイスを制御することを許可された前記モバイルワイヤレス通信デバイスのうちの１つから生成されたか否かを判断することと、
前記第１のハッシュ値が、前記アクセスデバイスを制御することを許可された前記モバイルワイヤレス通信デバイスのうちの１つから生成されたと判断した後、前記アクセスデバイスをアンロックするためにアクセスコマンドを送ることと
を行うように構成された、少なくとも１つのプロセッサと
を備えるアクセス許可デバイス。
【請求項１０】
前記第１のハッシュ値が、前記アクセスデバイスに対応する前記識別情報および、前記アクセスデバイスを制御することを許可されたモバイルワイヤレス通信デバイスに対応する、前記複数の一意の識別子のうちの１つから生成されなかったと判断した後、前記エリアへのアクセスを拒否することを行うように、前記少なくとも１つのプロセッサがさらに構成される、請求項９に記載のアクセス許可デバイス。
【請求項１１】
前記第１のハッシュ値が、前記アクセスデバイスに対応する前記識別情報および、前記アクセスデバイスを制御することを許可されたモバイルワイヤレス通信デバイスに対応する、前記複数の一意の識別子のうちの１つから生成されなかったと判断した後、無許可のアクセス試行を示すアラートを生成することを行うように、前記少なくとも１つのプロセッサがさらに構成される、請求項１０に記載のアクセス許可デバイス。
【請求項１２】
アクセス許可デバイスにおいて使用するためのコンピュータプログラム製品であって、前記コンピュータプログラム製品は、
エリアへのアクセスを制御するために使用されるアクセスデバイスを制御することを許可されたモバイルワイヤレス通信デバイスに対応する、複数の一意の識別子を記憶することを、少なくとも１つのコンピュータに行わせるためのコードと、
電力線ネットワークを介して発光デバイスに、前記アクセスデバイスに対応する識別情報を提供することを、前記少なくとも１つのコンピュータに行わせるためのコードと、
モバイルワイヤレス通信デバイスから第１のハッシュ値を受信することを、前記少なくとも１つのコンピュータに行わせるためのコードと、前記第１のハッシュ値は、前記アクセスデバイスに対応する前記識別情報と、前記アクセスデバイスのアンロックをすることをトリガすることを探している前記モバイルワイヤレス通信デバイスに対応する一意の識別子とから生成されている、
前記モバイルワイヤレス通信デバイスから、前記モバイルワイヤレス通信デバイスに対応する前記一意の識別子を受信することを、前記少なくとも１つのコンピュータに行わせるためのコードと、
前記アクセスデバイスに対応する前記識別情報とともに前記モバイルワイヤレス通信デバイスに対応する前記一意の識別子をハッシュすることによって、第２のハッシュ値を生成することを、前記少なくとも１つのコンピュータに行わせるためのコードと、
前記第２のハッシュ値が前記第１のハッシュ値にマッチすると判断することに少なくとも部分的に基づいて、前記第１のハッシュ値が、前記アクセスデバイスを制御することを許可された前記モバイルワイヤレス通信デバイスのうちの１つから生成されたか否かを判断することを、前記少なくとも１つのコンピュータに行わせるためのコードと、
前記第１のハッシュ値が、前記アクセスデバイスを制御することを許可された前記モバイルワイヤレス通信デバイスのうちの１つから生成されたと判断した後、前記アクセスデバイスをアンロックするためにアクセスコマンドを送ることを、前記少なくとも１つのコンピュータに行わせるためのコードと
を備える非一時的コンピュータ可読媒体を備える、コンピュータプログラム製品。
【請求項１３】
前記少なくとも１つのプロセッサは、時間変動値を用いて前記アクセスデバイスに対応する識別子をハッシュすることによって、前記アクセスデバイスに対応する前記識別情報を生成するようにさらに構成される、請求項９に記載のアクセス許可デバイス。
【請求項１４】
前記非一時的コンピュータ可読媒体は、前記第１のハッシュ値が、前記アクセスデバイスに対応する前記識別情報および、前記アクセスデバイスを制御することを許可されたモバイルワイヤレス通信デバイスに対応する、前記複数の一意の識別子のうちの１つから生成されなかったと判断した後、前記エリアへのアクセスを拒否することを、前記少なくとも１つのコンピュータに行わせるためのコードをさらに備える、請求項１２に記載のコンピュータプログラム製品。
【請求項１５】
前記非一時的コンピュータ可読媒体は、前記第１のハッシュ値が、前記アクセスデバイスに対応する前記識別情報および、前記アクセスデバイスを制御することを許可されたモバイルワイヤレス通信デバイスに対応する、前記複数の一意の識別子のうちの１つから生成されなかったと判断した後、無許可のアクセス試行を示すアラートを生成することを、前記少なくとも１つのコンピュータに行わせるためのコードをさらに備える、請求項１４に記載のコンピュータプログラム製品。
【請求項１６】
前記非一時的コンピュータ可読媒体は、時間変動値を用いて前記アクセスデバイスに対応する識別子をハッシュすることによって、前記アクセスデバイスに対応する前記識別情報を生成することを、前記少なくとも１つのコンピュータに行わせるためのコードをさらに備える、請求項１２に記載のコンピュータプログラム製品。
【手続補正２】
【補正対象書類名】明細書
【補正対象項目名】０１４５
【補正方法】変更
【補正の内容】
【０１４５】
[0157]  上記の説明に鑑みて、上記で説明された様々な実施形態の方法および装置に関する多数の追加の変形形態が当業者には明らかであろう。そのような変形形態は範囲内に入ると考えられるべきである。本方法および本装置は、符号分割多元接続（ＣＤＭＡ）、ＯＦＤＭ、および／または、通信デバイス間のワイヤレス通信リンクを提供するために使用され得る様々な他のタイプの通信技法で使用され得、様々な実施形態では使用される。いくつかの実施形態では、１つまたは複数の通信デバイスは、ＯＦＤＭおよび／またはＣＤＭＡを使用してモバイルノードとの通信リンクを確立し、ならびに／あるいはワイヤードまたはワイヤレス通信リンクを介してインターネットまたは別のネットワークへの接続性を与え得る、アクセスポイントとして実装される。いくつかの実施形態では、方法を実装するワイヤレス通信デバイス、たとえば、モバイルノードが、車両中に組み込まれる。様々な実施形態では、モバイルノードは、本方法を実装するための、受信機／送信機回路ならびに論理および／またはルーチンを含む、ノートブックコンピュータ、携帯情報端末（ＰＤＡ）、または他のポータブルデバイスとして実装される。
以下に本願の出願当初の特許請求の範囲に記載された発明を付記する。
[Ｃ１]  モバイルワイヤレス通信デバイスを動作させる方法であって、
可視光通信信号中で、前記可視光通信信号を発する可視光送信機の近傍に位置するアクセスデバイスに対応する識別情報を受信することと、
前記受信された識別情報と、前記モバイルワイヤレス通信デバイスに対応する一意の識別子とに基づいて、値を生成することと、
アクセス許可デバイスによって、前記受信された識別情報に関連付けられた前記アクセスデバイスのアンロックをすることをトリガするために使用される、制御メッセージ中で、前記アクセス許可デバイスへ前記生成された値を送信することとを備える方法。
[Ｃ２]  前記モバイルワイヤレス通信デバイスが、カメラを含むセルフォンであり、
可視光通信信号中で、識別情報を受信することが、前記カメラを介して、前記可視光通信信号を受信することを含む、Ｃ１に記載の方法。
[Ｃ３]  前記アクセスデバイスに対応する前記識別情報が、時間値と前記アクセスデバイスに対応する一意の識別子とを入力として受信する、ハッシュ関数を使用して生成された、時間変動値である、Ｃ１に記載の方法。
[Ｃ４]  制御メッセージ中で、前記アクセス許可デバイスへ前記生成された値を送信することが、
無線周波数信号中で前記生成された値を送信することを含む、Ｃ３に記載の方法。
[Ｃ５]  制御メッセージ中で、前記アクセス許可デバイスへ前記生成された値を送信することが、
前記生成された値とともに、前記識別情報を送信することをさらに含む、Ｃ４に記載の方法。
[Ｃ６]  可視光通信信号中で、前記可視光通信信号を発する可視光送信機の近傍に位置するアクセスデバイスに対応する識別情報を受信するための手段と、
前記受信された識別情報と、モバイルワイヤレス通信デバイスに対応する一意の識別子とに基づいて、値を生成するための手段と、
アクセス許可デバイスによって、前記受信された識別情報に関連付けられた前記アクセスデバイスをアンロックすることをトリガするために使用される、制御メッセージ中で、前記アクセス許可デバイスへ前記生成された値を送信するための手段とを備えるモバイルワイヤレス通信デバイス。
[Ｃ７]  前記モバイルワイヤレス通信デバイスが、カメラを含むセルフォンであり、
受信するための前記手段が、前記カメラ中に含まれる、Ｃ６に記載のモバイルワイヤレス通信デバイス。
[Ｃ８]  前記アクセスデバイスに対応する前記識別情報が、時間値と前記アクセスデバイスに対応する一意の識別子とを入力として受信する、ハッシュ関数を使用して生成された、時間変動値である、Ｃ６に記載のモバイルワイヤレス通信デバイス。
[Ｃ９]  前記アクセス許可デバイスへ前記生成された値を送信するための前記手段が、無線周波数信号中で前記生成された値を送信する、Ｃ８に記載のモバイルワイヤレス通信デバイス。
[Ｃ１０]  制御メッセージ中で、前記アクセス許可デバイスへ前記生成された値を送信するための前記手段が、前記生成された値とともに、前記識別情報をさらに送信する、Ｃ９に記載のモバイルワイヤレス通信デバイス。
[Ｃ１１]    可視光通信信号中で、前記可視光通信信号を発する可視光送信機の近傍に位置するアクセスデバイスに対応する識別情報を受信することと、
前記受信された識別情報と、モバイルワイヤレス通信デバイスに対応する一意の識別子とに基づいて、値を生成することと、
アクセス許可デバイスによって、前記受信された識別情報に関連付けられた前記アクセスデバイスをアンロックすることをトリガするために使用される、制御メッセージ中で、前記アクセス許可デバイスへ前記生成された値を送信することと
を行うように構成された、少なくとも１つのプロセッサと、
前記少なくとも１つのプロセッサに結合されたメモリとを備えるモバイルワイヤレス通信デバイス。
[Ｃ１２]  前記モバイルワイヤレス通信デバイスが、カメラを含むセルフォンであり、
前記可視光通信信号が、前記カメラを介して受信される、Ｃ１１に記載のモバイルワイヤレス通信デバイス。
[Ｃ１３]  前記アクセスデバイスに対応する前記識別情報が、時間値と前記アクセスデバイスに対応する一意の識別子とを入力として受信する、ハッシュ関数を使用して生成された、時間変動値である、Ｃ１１に記載のモバイルワイヤレス通信デバイス。
[Ｃ１４]  前記少なくとも１つのプロセッサが、前記制御メッセージ中で前記生成された値とともに、前記識別情報を送信するようにさらに構成される、Ｃ１１に記載のモバイルワイヤレス通信デバイス。
[Ｃ１５]  モバイルワイヤレス通信デバイスにおいて使用するためのコンピュータプログラム製品であって、前記コンピュータプログラム製品が、
可視光通信信号中で、前記可視光通信信号を発する可視光送信機の近傍に位置するアクセスデバイスに対応する識別情報を受信することを、少なくとも１つのコンピュータに行わせるためのコードと、
前記受信された識別情報と、前記モバイルワイヤレス通信デバイスに対応する一意の識別子とに基づいて、値を生成することを、前記少なくとも１つのコンピュータに行わせるためのコードと、
アクセス許可デバイスによって、前記受信された識別情報に関連付けられた前記アクセスデバイスのアンロックをすることをトリガするために使用される、制御メッセージ中で、前記アクセス許可デバイスへ前記生成された値を送信することを、前記少なくとも１つのコンピュータに行わせるためのコードと
を備える非一時的コンピュータ可読媒体を備える、コンピュータプログラム製品。
[Ｃ１６]  アクセス許可デバイスを動作させる方法であって、
エリアへのアクセスを制御するために使用されるアクセスデバイスを制御することを許可されたモバイルワイヤレス通信デバイスに対応する、複数の一意の識別子を記憶することと、
モバイルワイヤレス通信デバイスからハッシュ値を受信することと、前記ハッシュ値は、前記アクセスデバイスに対応する識別情報と、前記アクセスデバイスのアンロックをすることをトリガすることを探している前記モバイルワイヤレス通信デバイスに対応する一意の識別子とから生成されている、
前記受信されたハッシュ値が、前記アクセスデバイスを制御することを許可されたモバイルワイヤレス通信デバイスに対応する、前記複数の記憶された一意の識別子のうちの１つと、前記アクセスデバイスに対応する識別情報とから生成されたか否かを判断することと、
前記受信されたハッシュ値が、前記アクセスデバイスを制御することを許可されたモバイルワイヤレス通信デバイスに対応する、前記複数の記憶された一意の識別子のうちの１つと、前記アクセスデバイスに対応する識別情報とから生成されたと判断した後、前記アクセスデバイスをアンロックすることとを備える方法。
[Ｃ１７]  前記受信されたハッシュ値が、前記アクセスデバイスに対応する識別情報および、前記アクセスデバイスを制御することを許可されたモバイルワイヤレス通信デバイスに対応する、前記記憶された複数の一意の識別子のうちの１つから生成されなかったと判断した後、前記エリアへのアクセスを拒否することをさらに備える、Ｃ１６に記載の方法。
[Ｃ１８]  前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されなかったと判断した後、無許可のアクセス試行を示すアラートを生成することをさらに備える、Ｃ１７に記載の方法。
[Ｃ１９]  電力線を介して発光デバイスに、前記アクセスデバイスに対応する前記識別情報を提供することをさらに備える、Ｃ１６に記載の方法。
[Ｃ２０]  時間変動値を用いて前記アクセスデバイスに対応する識別子をハッシュすることによって、前記アクセスデバイスに対応する前記識別情報を生成することをさらに備える、Ｃ１９に記載の方法。
[Ｃ２１]  前記方法が、
前記モバイルワイヤレス通信デバイスから、前記モバイルワイヤレス通信デバイスから受信された前記ハッシュ値を生成するために使用された、前記モバイルワイヤレス通信デバイスに対応する識別情報を受信することをさらに備え、
前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されたか否かを前記判断することが、
前記アクセスデバイスに対応する識別子を用いて、前記モバイルワイヤレス通信デバイスに対応する前記受信された識別情報をハッシュし、得られたハッシュ出力値が前記受信されたハッシュ値にマッチするか否かをチェックすることを含む、Ｃ２０に記載の方法。
[Ｃ２２]  エリアへのアクセスを制御するために使用されるアクセスデバイスを制御することを許可されたモバイルワイヤレス通信デバイスに対応する、複数の一意の識別子を記憶するための手段と、
モバイルワイヤレス通信デバイスからハッシュ値を受信するための手段と、前記ハッシュ値は、前記アクセスデバイスに対応する識別情報と、前記アクセスデバイスのアンロックをすることをトリガすることを探している前記モバイルワイヤレス通信デバイスに対応する一意の識別子とから生成されている、
前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されたか否かを判断するための手段と、
前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されたと判断した後、前記アクセスデバイスをアンロックするための手段とを備えるアクセス許可デバイス。
[Ｃ２３]  前記受信されたハッシュ値が、前記アクセスデバイスに対応する識別情報および、前記アクセスデバイスを制御することを許可されたモバイルワイヤレス通信デバイスに対応する、前記記憶された複数の一意の識別子のうちの１つから生成されなかったと、判断するための前記手段が判断した後、前記エリアへのアクセスを拒否するための手段をさらに備える、Ｃ２２に記載のアクセス許可デバイス。
[Ｃ２４]  前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されなかったと、判断するための前記手段が破断した後、無許可のアクセス試行を示すアラートを生成するための手段をさらに備える、Ｃ２３に記載のアクセス許可デバイス。
[Ｃ２５]  時間変動値を用いて前記アクセスデバイスに対応する識別子をハッシュすることによって、前記アクセスデバイスに対応する前記識別情報を生成するための手段をさらに備える、Ｃ２２に記載のアクセス許可デバイス。
[Ｃ２６]  前記アクセス許可デバイスが、
前記モバイルワイヤレス通信デバイスから、前記モバイルワイヤレス通信デバイスから受信された前記ハッシュ値を生成するために使用された、前記モバイルワイヤレス通信デバイスに対応する識別情報を受信するための手段をさらに備え、
前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されたか否かを判断するための前記手段が、
前記アクセスデバイスに対応する識別子を用いて、前記モバイルワイヤレス通信デバイスに対応する前記受信された識別情報をハッシュすることによって、ハッシュ値を生成するための手段と、
得られたハッシュ出力値が前記受信されたハッシュ値にマッチするか否かをチェックするための手段とを含む、Ｃ２５に記載のアクセス許可デバイス。
[Ｃ２７]  メモリと、
エリアへのアクセスを制御するために使用されるアクセスデバイスを制御することを許可されたモバイルワイヤレス通信デバイスに対応する、複数の一意の識別子を、前記メモリに記憶することと、
モバイルワイヤレス通信デバイスからハッシュ値を受信することと、前記ハッシュ値は、前記アクセスデバイスに対応する識別情報と、前記アクセスデバイスのアンロックをすることをトリガすることを探している前記モバイルワイヤレス通信デバイスに対応する一意の識別子とから生成されている、
前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されたか否かを判断することと、
前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されたと判断した後、前記アクセスデバイスをアンロックすることと
を行うように構成された、少なくとも１つのプロセッサとを備えるアクセス許可デバイス。
[Ｃ２８]  前記受信されたハッシュ値が、前記アクセスデバイスに対応する識別情報および、前記アクセスデバイスを制御することを許可されたモバイルワイヤレス通信デバイスに対応する、前記記憶された複数の一意の識別子のうちの１つから生成されなかったと判断した後、前記エリアへのアクセスを拒否することを行うように、前記少なくとも１つのプロセッサがさらに構成される、Ｃ２７に記載のアクセス許可デバイス。
[Ｃ２９]  前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されなかったと判断した後、無許可のアクセス試行を示すアラートを生成することを行うように、前記少なくとも１つのプロセッサがさらに構成される、Ｃ２８に記載のアクセス許可デバイス。
[Ｃ３０]  アクセス許可デバイスにおいて使用するためのコンピュータプログラム製品であって、前記コンピュータプログラム製品は、
エリアへのアクセスを制御するために使用されるアクセスデバイスを制御することを許可されたモバイルワイヤレス通信デバイスに対応する、複数の一意の識別子を記憶することを、少なくとも１つのコンピュータに行わせるためのコードと、
モバイルワイヤレス通信デバイスからハッシュ値を受信することを、前記少なくとも１つのコンピュータに行わせるためのコードと、前記ハッシュ値は、前記アクセスデバイスに対応する識別情報と、前記アクセスデバイスのアンロックをすることをトリガすることを探している前記モバイルワイヤレス通信デバイスに対応する一意の識別子とから生成されている、
前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されたか否かを判断することを、前記少なくとも１つのコンピュータに行わせるためのコードと、
前記受信されたハッシュ値が、前記アクセスデバイスに対応する識別情報および、前記アクセスデバイスを制御することを許可されたモバイルワイヤレス通信デバイスに対応する、前記複数の記憶された一意の識別子のうちの１つから生成されたと判断した後、前記アクセスデバイスをアンロックすることを、前記少なくとも１つのコンピュータに行わせるためのコードと
を備える非一時的コンピュータ可読媒体を備える、コンピュータプログラム製品。